(57)【要約】【課題】  テレビ放送番組の予約録画を設定する際に、操作キーの少ない操作回数で所望のテレビ放送番組の予約録画を容易に設定することができるようにする。【解決手段】  録画日を予約録画が指令されたその日の日付に設定して、設定された予約録画の録画日が変更された場合、録画日を変更し、現在時刻に基づいて予約録画の録画開始時刻を設定して、録画開始時刻が変更された場合、録画開始時刻を変更し、予約録画の録画時間を入力して、予約録画の録画終了時刻を録画開始時刻に予約録画の録画時間を加えた時刻に設定し、予約録画の録画終了時刻が変更された場合、録画終了時刻を変更し、予約録画の録画チャンネルを現在の受信チャンネルに設定して、録画チャンネルが変更された場合、録画チャンネルを変更し、予約録画の録画データ圧縮率を設定して、録画データの圧縮率が変更された場合、録画データ圧縮率を変更し、予約録画を設定するようにする。【選択図】        図４
2007180748.tif 000002
【特許請求の範囲】
【請求項１】
テレビ放送番組を予約録画することができる録画再生装置であって、
テレビ放送番組の予約録画が指令されたとき、予約録画の録画日をテレビ放送番組の予約録画が指令されたその日の日付に設定する録画日設定手段と、前記録画日設定手段により設定された予約録画の録画日を変更する録画日変更手段と、予約録画の録画開始時刻を現在時刻から最も近い正時に設定する録画開始時刻設定手段と、前記録画開始時刻設定手段により設定された予約録画の録画開始時刻を変更する録画開始時刻変更手段と、予約録画の録画時間を入力する録画時間入力手段と、予約録画の録画終了時刻を予約録画の録画開始時刻に前記録画時間入力手段により入力された録画時間を加えた時刻に設定する録画終了時刻設定手段と、前記録画終了時刻設定手段により設定された予約録画の録画終了時刻を変更する録画終了時刻変更手段と、予約録画の録画チャンネルを現在の受信チャンネルに設定する録画チャンネル設定手段と、前記録画チャンネル設定手段により設定された予約録画の録画チャンネルを変更する録画チャンネル変更手段と、既に設定されている予約録画の録画を考慮した記録媒体の残り記録容量に基づいて予約録画の録画データ圧縮率を設定する録画データ圧縮率設定手段と、前記録画データ圧縮率設定手段により設定された予約録画の録画データ圧縮率を変更する録画データ圧縮率変更手段と、予約録画の設定値を記憶して予約録画を設定する予約録画設定手段とを備えたことを特徴とする録画再生装置。
【請求項２】
テレビ放送番組を予約録画することができる録画再生装置であって、
テレビ放送番組の予約録画が指令されたとき、予約録画の録画日をテレビ放送番組の予約録画が指令されたその日の日付に設定する録画日設定手段と、前記録画日設定手段により設定された予約録画の録画日を変更する録画日変更手段と、現在時刻に基づいて予約録画の録画開始時刻を設定する録画開始時刻設定手段と、前記録画開始時刻設定手段により設定された予約録画の録画開始時刻を変更する録画開始時刻変更手段と、予約録画の録画時間を入力する録画時間入力手段と、予約録画の録画終了時刻を予約録画の録画開始時刻に前記録画時間入力手段により入力された録画時間を加えた時刻に設定する録画終了時刻設定手段と、前記録画終了時刻設定手段により設定された予約録画の録画終了時刻を変更する録画終了時刻変更手段と、予約録画の録画チャンネルを現在の受信チャンネルに設定する録画チャンネル設定手段と、前記録画チャンネル設定手段により設定された予約録画の録画チャンネルを変更する録画チャンネル変更手段と、予約録画の録画データ圧縮率を設定する録画データ圧縮率設定手段と、前記録画データ圧縮率設定手段により設定された予約録画の録画データ圧縮率を変更する録画データ圧縮率変更手段と、予約録画の設定値を記憶して予約録画を設定する予約録画設定手段とを備えたことを特徴とする録画再生装置。
【請求項３】
前記録画開始時刻設定手段は、予約録画の録画開始時刻を現在時刻から最も近い正時に設定する録画開始時刻設定手段であることを特徴とする請求項２記載の録画再生装置。
【請求項４】
前記録画データ圧縮率設定手段は、既に設定されている予約録画の録画を考慮した記録媒体の残り記録容量に基づいて予約録画の録画データ圧縮率を設定する録画データ圧縮率設定手段であることを特徴とする請求項２記載の録画再生装置。
【請求項５】
テレビ放送番組を予約録画することができる録画再生装置の録画予約方法であって、
テレビ放送番組の予約録画が指令されたとき、予約録画の録画日をテレビ放送番組の予約録画が指令されたその日の日付に設定するステップと、予約録画の録画日が変更された場合、予約録画の録画日を変更するステップと、予約録画の録画開始時刻を現在時刻から最も近い正時に設定するステップと、予約録画の録画開始時刻が変更された場合、予約録画の録画開始時刻を変更するステップと、予約録画の録画時間を入力するステップと、予約録画の録画終了時刻を予約録画の録画開始時刻に入力された録画時間を加えた時刻に設定するステップと、予約録画の録画終了時刻が変更された場合、予約録画の録画終了時刻を変更するステップと、予約録画の録画チャンネルを現在の受信チャンネルに設定するステップと、予約録画の録画チャンネルが変更された場合、予約録画の録画チャンネルを変更するステップと、既に設定されている予約録画の記録を考慮した記録媒体の残り記録容量に基づいて予約録画の録画データ圧縮率を設定するステップと、予約録画の録画データ圧縮率が変更された場合、予約録画の録画データ圧縮率を変更するステップと、予約録画の設定値を記憶して予約録画を設定するステップとを備えたことを特徴とする録画再生装置の録画予約方法。
【発明の詳細な説明】
【技術分野】
【０００１】
本発明は、テレビ放送番組を予約録画することができる録画再生装置及びその録画予約方法に係り、特にテレビ放送番組の予約録画を容易に設定することができる録画再生装置及びその録画予約方法に関する。
【背景技術】
【０００２】
従来、テレビ放送番組を予約録画する場合、新聞等のテレビ放送番組表のＧコード（米国ジェムスター社の登録商標）を入力して、所望のテレビ放送番組を予約録画することができるようになっている。しかし、Ｇコードが数桁の数字であるため、Ｇコードを入力する際に、Ｇコードの数字の入力ミスが発生するという問題点があった。また、テレビ放送番組を予約録画する場合、録画開始時刻の初期値を現在時刻とし、録画終了時刻の初期値を録画開始時刻の１時間後として、録画データ圧縮率の初期値を現在設定されている録画データ圧縮率として予約録画することができるようにしたものがある。しかし、録画データ圧縮率の初期値が現在設定されている録画データ圧縮率に設定されるようになっていたため、ユーザが録画データ圧縮率を変更したい場合、記録媒体の残り記録容量がわからず、録画データ圧縮率の設定に手間がかかり、録画データ圧縮率の設定値の入力ミスが発生してテレビ放送番組の後半部分が録画されないという問題点があった。
背景技術としては、予約録画キーを押下することにより、受信中のチャンネルを予約チャンネルとして、予約録画キーが押下された時刻からテレビ放送番組のタイプを判定し、録画開始時刻、録画時間を算出してテレビ放送番組の予約録画を設定するようにしたものがあった（例えば、特許文献１参照）。
また、テレビ放送番組の番組名、放送チャンネル、放送開始時刻及び放送終了時刻を含む番組情報を受信して表示し、表示されたテレビ放送番組の番組名及び放送チャンネルの情報を選択して、選択されたテレビ放送番組の予約録画を設定するにしたものがあった（例えば、特許文献２参照）。
また、録画が予約された全てのテレビ放送番組の圧縮率が設定されていない場合、記録媒体の残り記録容量に応じて、録画が予約されたテレビ放送番組を記録媒体に全て録画できるように圧縮率を設定するようにしたものがあった（例えば、特許文献３参照）。
【特許文献１】特開平６−２９０５１０号公報
【特許文献２】特開平９−１８０２９１号公報
【特許文献３】特開平１０−９２１０６号公報
【発明の開示】
【発明が解決しようとする課題】
【０００３】
しかしながら、背景技術で述べたもののうち最初のものにおいては、予約録画キーを押下することにより、受信中のチャンネルを予約チャンネルとして、予約録画キーが押下された時刻からテレビ放送番組のタイプを判定し、録画開始時刻、録画時間を算出してテレビ放送番組の録画を予約することができたが、同じ時間帯に放送されるテレビ放送番組とは異なる特別番組等のテレビ放送番組の予約録画を設定することができないという問題点があった。
また、次のものにおいては、テレビ放送番組の番組名、放送チャンネル、放送開始時刻及び放送終了時刻を含む番組情報を受信して表示し、表示されたテレビ放送番組の番組名及び放送チャンネルの情報を選択して、選択されたテレビ放送番組の録画を予約することができたが、テレビ放送番組の情報を受信しなければ所望のテレビ放送番組の予約録画を設定することができないという問題点があった。
また、更にその次のものにおいては、録画が予約された全てのテレビ放送番組の圧縮率が設定されていない場合、記録媒体の残り記録容量に応じて、録画が予約されたテレビ放送番組を記録媒体に全て録画できるように圧縮率を設定することができたが、録画が予約されたテレビ放送番組を記録媒体に全て録画できるように圧縮率が変更されるため、ユーザが所望のテレビ放送番組を高画質で予約録画することができないという問題点があった。
本発明は、背景技術の有するこのような問題点に鑑みてなされたものであり、その目的とするところは、テレビ放送番組の予約録画を設定する際に、操作キーの少ない操作回数で所望のテレビ放送番組の予約録画を容易に設定することができる録画再生装置及びその録画予約方法を提供しようとするものである。
【課題を解決するための手段】
【０００４】
上記目的を達成するため本発明においては、テレビ放送番組を予約録画することができる録画再生装置であって、テレビ放送番組の予約録画が指令されたとき、予約録画の録画日をテレビ放送番組の予約録画が指令されたその日の日付に設定する録画日設定手段と、前記録画日設定手段により設定された予約録画の録画日を変更する録画日変更手段と、現在時刻に基づいて予約録画の録画開始時刻を設定する録画開始時刻設定手段と、前記録画開始時刻設定手段により設定された予約録画の録画開始時刻を変更する録画開始時刻変更手段と、予約録画の録画時間を入力する録画時間入力手段と、予約録画の録画終了時刻を予約録画の録画開始時刻に前記録画時間入力手段により入力された録画時間を加えた時刻に設定する録画終了時刻設定手段と、前記録画終了時刻設定手段により設定された予約録画の録画終了時刻を変更する録画終了時刻変更手段と、予約録画の録画チャンネルを現在の受信チャンネルに設定する録画チャンネル設定手段と、前記録画チャンネル設定手段により設定された予約録画の録画チャンネルを変更する録画チャンネル変更手段と、予約録画の録画データ圧縮率を設定する録画データ圧縮率設定手段と、前記録画データ圧縮率設定手段により設定された予約録画の録画データ圧縮率を変更する録画データ圧縮率変更手段と、予約録画の設定値を記憶して予約録画を設定する予約録画設定手段とを備える。
前記録画開始時刻設定手段は、予約録画の録画開始時刻を現在時刻から最も近い正時に設定するようにするとよい。
前記録画データ圧縮率設定手段は、既に設定されている予約録画の録画を考慮した記録媒体の残り記録容量に基づいて予約録画の録画データ圧縮率を設定するようにするとよい。
これらの手段により、テレビ放送番組の予約録画を設定する際に、操作キーの少ない操作回数で所望のテレビ放送番組の予約録画を容易に設定することができる。
【発明の効果】
【０００５】
請求項１記載の発明に係る録画再生装置によれば、テレビ放送番組の予約録画が指令されたとき、予約録画の録画日をテレビ放送番組の予約録画が指令されたその日の日付に設定して、設定された予約録画の録画日が変更された場合、設定された予約録画の録画日を変更し、予約録画の録画開始時刻を現在時刻から最も近い正時に設定して、設定された予約録画の録画開始時間が変更された場合、設定された予約録画の録画開始時刻を変更し、予約録画の録画時間を入力して、予約録画の録画終了時刻を予約録画の録画開始時刻に入力された録画時間を加えた時刻に設定し、設定された予約録画の録画終了時刻が変更された場合、設定された予約録画の録画終了時刻を変更し、予約録画の録画チャンネルを現在の受信チャンネルに設定して、設定された予約録画チャンネルが変更された場合、設定された予約録画の録画チャンネルを変更し、既に設定されている予約録画の録画を考慮した記録媒体の残り記録容量に基づいて予約録画の録画データ圧縮率を設定して、設定された予約録画の録画データの圧縮率が変更された場合、設定された予約録画の録画データ圧縮率を変更し、予約録画の設定値を記憶して予約録画を設定するようにしているので、テレビ放送番組の予約録画を設定する際に、操作キーの少ない操作回数で所望のテレビ放送番組の予約録画を容易に設定することができる。
請求項２記載の発明に係る録画再生装置によれば、テレビ放送番組の予約録画が指令されたとき、予約録画の録画日をテレビ放送番組の予約録画が指令されたその日の日付に設定して、設定された予約録画の録画日が変更された場合、設定された予約録画の録画日を変更し、現在時刻に基づいて予約録画の録画開始時刻を設定し、設定された予約録画の録画開始時刻が変更された場合、設定された予約録画の録画開始時刻を変更し、予約録画の録画時間を入力して、予約録画の録画終了時刻を予約録画の録画開始時刻に入力された録画時間を加えた時刻に設定し、設定された予約録画の録画終了時刻が変更された場合、設定された予約録画の録画終了時刻を変更し、予約録画の録画チャンネルを現在の受信チャンネルに設定して、設定された予約録画の録画チャンネルが変更された場合、設定された予約録画の録画チャンネルを変更し、予約録画の録画データ圧縮率を設定して、設定された予約録画の録画データの圧縮率が変更された場合、設定された予約録画の録画データ圧縮率を変更し、予約録画の設定値を記憶して予約録画を設定するようにしているので、テレビ放送番組の予約録画を設定する際に、操作キーの少ない操作回数で所望のテレビ放送番組の予約録画を容易に設定することができる。
請求項３記載の発明に係る録画再生装置によれば、予約録画の録画開始時刻を現在時刻から最も近い正時に設定するようにしているので、予約録画の録画開始時刻をテレビ放送番組の一般的な放送開始時刻に設定することができる。
請求項４記載の発明に係る録画再生装置によれば、既に設定されている予約録画の録画を考慮した記録媒体の残り記録容量に基づいて予約録画の録画データ圧縮率を設定するようにしているので、記録媒体の残り記録容量に応じて予約録画の録画データ圧縮率を設定することができ、予約録画の録画データを記録媒体に録画することができる。
請求項５記載の発明に係る録画再生装置の録画予約方法によれば、テレビ放送番組の予約録画が指令されたとき、予約録画の録画日を予約録画が指令された予約録画が指令された日の日付に設定して、設定された予約録画の録画日が変更された場合、設定された予約録画の録画日を変更し、予約録画の録画開始時刻を現在時刻から最も近い正時に設定して、設定された予約録画の録画開始時刻が変更された場合、設定された予約録画の録画開始時刻を変更し、予約録画の録画時間を入力して、予約録画の録画終了時刻を予約録画の録画開始時刻に入力された録画時間を加えた時刻に設定し、設定された予約録画の録画終了時刻が変更された場合、設定された予約録画の録画終了時刻を変更し、予約録画の録画チャンネルを現在の受信チャンネルに設定して、設定された予約録画の録画チャンネルが変更された場合、設定された予約録画の録画チャンネルを変更し、既に設定されている予約録画の記録を考慮した記録媒体の残り記録容量に基づいて予約録画の録画データ圧縮率を設定して、設定された予約録画の録画データ圧縮率が変更された場合、設定された設定された予約録画の録画データ圧縮率を変更し、予約録画の設定値を記憶して予約録画を設定するようにしているので、テレビ放送番組の予約録画を設定する際に、操作キーの少ない操作回数で所望のテレビ放送番組の予約録画を容易に設定することができる。
【発明を実施するための最良の形態】
【０００６】
以下、適宜図面を参照しながら本発明を実施するための最良の形態を詳述する。図１は本発明の一実施例の録画再生装置の構成を示すブロック図であり、図２は本発明の一実施例の録画再生装置のリモコン装置を示す説明図であり、図３は本発明の一実施例の録画再生装置の予約録画の設定画面の表示例を示す図であり、図４は本発明の一実施例の録画再生装置の予約録画の設定動作を示すフローチャートである。
まず、図１の本発明の一実施例の録画再生装置の構成を示すブロック図を基に説明する。
録画再生装置１は、光ディスク２にレーザ光を照射してその反射光を検出し、光ディスク２に記録されている映像音声データを読み出すとともに、光ディスク２にレーザ光を照射して、映像音声データを光ディスク２に記録する光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するとともに、光ディスク２に記録する映像音声データのＲＦ信号を増幅するＲＦ増幅回路７と、アンテナ１５により受信されたテレビ放送電波から選択されたチャンネルのテレビ放送を受信するチューナ８と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声データを再生するとともに、チューナ８により受信されたテレビ放送番組の映像音声データを符号化し、符号化された映像音声データを所定の圧縮方式に基づいて圧縮する信号処理回路９と、文字データ信号を映像信号に重畳して文字データをモニタ装置３０の画面に表示するＯＳＤ（Ｏｎ−Ｓｃｒｅｅｎ  Ｃｈａｒａｃｔｅｒ  Ｄｉｓｐｌａｙ）回路１０と、録画再生装置１のシステム全体を制御するマイコン１１と、日付と時刻とを管理する時計回路１２と、テレビ放送番組の予約録画の設定値を記憶する不揮発性メモリのフラッシュＲＯＭ１３と、リモコン装置２０から送信された赤外線信号のリモコン信号を受信して所定の電気信号に変換するリモコン受信部１４とで構成されている。
また、リモコン装置２０には、図２を示すように、テレビ放送番組の予約録画を指令する予約録画キー２０ａ、テレビ放送の受信チャンネルを入力するテンキー２０ｂ、モニタ装置３０の画面の選択項目を選択するカーソルキー２０ｃ、カーソルキー２０ｃにより選択された選択項目の選択を決定する決定キー２０ｄ等の複数の操作キーが設けられていて、それらの操作キーを操作することにより録画再生装置１を所望動作させることができるようになっている。
以上のように構成された録画再生装置について、以下その動作について説明する。
リモコン装置２０の予約録画キー２０ａの押下によりテレビ放送番組の予約録画が指令されると、マイコン１１は、予約録画の録画日をテレビ放送番組の予約録画が指令された今日の日付に設定し、文字データ信号と制御信号とをＯＳＤ回路１０に送出して、予約録画の設定画面をモニタ装置３０の画面３０に表示し、予約録画の録画日をハイライト表示する（図３（ａ）参照。なお、図３において、ハイライト表示を枠表示で示している）。リモコン装置２０のカーソルキー２０ｃと決定キー２０ｄとの操作により予約録画の録画日が変更された場合、マイコン１１は、文字データ信号と制御信号とをＯＳＤ回路１０に送出して、予約録画の録画日を変更する。
予約録画の録画日が設定されると、マイコン１１は、予約録画の録画開始時刻を現在時刻から最も近い正時、例えば、現在時刻が２０時３８分の場合、分秒を含まない２１時００分に設定し、文字データ信号と制御信号とをＯＳＤ回路１０に送出して、予約録画の録画開始時刻をハイライト表示する（図３（ｂ）参照）。リモコン装置２０のカーソルキー２０ｃと決定キー２０ｄとの操作により予約録画の録画開始時刻が変更された場合、マイコン１１は、文字データ信号と制御信号とをＯＳＤ回路１０に送出して、予約録画の録画開始時刻を変更する。
予約録画の録画開始時刻が設定されると、マイコン１１は、文字データ信号と制御信号とをＯＳＤ回路１０に送出して、予約録画の録画時間をハイライト表示する（図３（ｃ）参照）。リモコン装置２０のテンキー２０ｂの操作により予約録画の録画時間が入力されると、マイコン１１は、予約録画の録画終了時刻を録画開始時刻に入力された録画時間を加えた時刻、例えば、録画開始時間が２１時３分であり、入力された録画時間が２時間である場合、予約録画の録画終了時刻を２３時３分に設定し、文字データ信号と制御信号とをＯＳＤ回路１０に送出して、予約録画の録画終了時刻をハイライト表示する（図３（ｄ）参照）。リモコン装置２０のカーソルキー２０ｃと決定キー２０ｄとの操作により予約録画の録画終了時刻が変更された場合、マイコン１１は、文字データ信号と制御信号とをＯＳＤ回路１０に送出して、予約録画の録画終了時刻を変更する。
予約録画の録画終了時刻が設定されると、マイコン１１は、予約録画の録画チャンネルを現在の受信チャンネルに設定し、文字データ信号と制御信号とをＯＳＤ回路１０に送出して、予約録画の録画チャンネルをハイライト表示する（図３（ｅ）参照）。リモコン装置２０のカーソルキー２０ｃと決定キー２０ｄとの操作により予約録画の録画チャンネルが変更された場合、マイコン１１は、文字データ信号と制御信号とをＯＳＤ回路１０に送出して、予約録画の録画チャンネルを変更する。
予約録画の録画チャンネルが設定されると、既に設定されている予約録画の記録を考慮した光ディスク２の残り記録容量に基づいて予約録画の録画データ圧縮率を設定し、文字データ信号と制御信号とをＯＳＤ回路１０に送出して、予約録画の録画データ圧縮率をハイライト表示する（図３（ｆ）参照）。リモコン装置２０のカーソルキー２０ｃと決定キー２０ｄとの操作により予約録画の録画データ圧縮率が変更された場合、マイコン１１は、文字データ信号と制御信号とをＯＳＤ回路１０に送出して、予約録画の録画データ圧縮率を変更する。
予約録画の設定値が全て設定されると（図３（ｇ）参照）、マイコン１１は、予約録画の設定値をフラッシュＲＯＭ１３に記憶して予約録画を設定する。
また、図４の本発明の一実施例の録画再生装置の予約録画の設定動作を示すフローチャートを基に説明する。
リモコン装置の予約録画キーが押下によりテレビ放送番組の予約録画が指令されると、ステップＳ１からステップＳ２に進み、ステップＳ２で、予約録画の録画日がテレビ放送番組の予約録画が指令された今日の日付に設定されて、予約録画の設定画面が表示され、予約録画の録画日がハイライト表示されて、ステップＳ３に進む。
ステップＳ３で、リモコン装置のカーソルキーと決定キーとの操作により予約録画の録画日が変更されたか否かが判断され、予約録画の録画日が変更された場合、ステップＳ４に進み、予約録画の録画日が変更されていない場合、ステップＳ５に進む。
ステップＳ４で、予約録画の録画日が変更されて、ステップＳ５に進む。
ステップＳ５で、予約録画の録画開始時刻が現在時刻から最も近い正時に設定されて、予約録画の録画開始時刻がハイライト表示され、ステップＳ６に進む。
ステップＳ６で、リモコン装置のカーソルキーと決定キーとの操作により予約録画の録画開始時刻が変更されたか否かが判断され、予約録画の録画開始時刻が変更された場合、ステップＳ７に進み、予約録画の録画開始時刻が変更されていない場合、ステップＳ８に進む。
ステップＳ７で、予約録画の録画開始時刻が変更されて、ステップＳ８に進む。
ステップＳ８で、予約録画の録画時間がハイライト表示されて、ステップＳ９に進む。
ステップＳ９で、リモコン装置のテンキーの操作により予約録画の録画時間が入力されたか否かが判断され、予約録画の録画時間が入力された場合、ステップＳ１０に進み、予約録画の録画時間が入力されていない場合、ステップＳ９のステップを繰り返す。
ステップＳ１０で、予約録画の録画終了時刻が録画開始時刻に入力された録画時間を加えた時刻に設定されて、予約録画の録画終了時刻がハイライト表示され、ステップＳ１１に進む。
ステップＳ１１で、リモコン装置のカーソルキーと決定キーとの操作により予約録画の録画終了時刻が変更されたか否かが判断され、予約録画の録画終了時刻が変更された場合、ステップＳ１２に進み、予約録画の録画終了時刻が変更されていない場合、ステップＳ１３に進む。
ステップＳ１２で、予約録画の録画終了時刻が変更されて、ステップＳ１３に進む。
ステップＳ１３で、予約録画の録画チャンネルが現在の受信チャンネルに設定されて、予約録画の録画チャンネルがハイライト表示され、ステップＳ１４に進む。
ステップＳ１４で、リモコン装置のカーソルキーと決定キーとの操作により予約録画の録画チャンネルが変更されたか否かが判断され、予約録画の録画チャンネルが変更された場合、ステップＳ１５に進み、予約録画の録画チャンネルが変更されていない場合、ステップＳ１６に進む。
ステップＳ１５で、予約録画の録画チャンネルが変更されて、ステップＳ１６に進む。
ステップＳ１６で、既に設定されている予約録画の記録を考慮した光ディスクの残り記録容量に基づいて予約録画の録画データ圧縮率が設定され、予約録画の録画データ圧縮率がハイライト表示されて、ステップＳ１７に進む。
ステップＳ１７で、リモコン装置のカーソルキーと決定キーとの操作により予約録画の録画データ圧縮率が変更されたか否かが判断され、予約録画の録画データ圧縮率が変更された場合、ステップＳ１８に進み、予約録画の録画データ圧縮率が変更されていない場合、ステップＳ１９に進む。
ステップＳ１８で、予約録画の録画データ圧縮率が変更されて、ステップＳ１９に進む。
ステップＳ１９で、予約録画の設定値がフラッシュＲＯＭに記憶されて予約録画が設定され、ステップＳ２０に進んで処理を終了する。
以上、本発明を実施するための最良の形態について詳述したが、本発明はこれに限定されるものではなく、当業者の通常の知識の範囲内でその変形や改良が可能である。例えば、光ディスクにテレビ放送番組を予約録画する録画再生装置について説明したが、本発明は、ビデオカセットテープ、ハードディスク等の記録媒体にテレビ放送番組を予約録画する他の録画再生装置にも適用することができることはいうまでもない。
【図面の簡単な説明】
【０００７】
【図１】本発明の一実施例の録画再生装置の構成を示すブロック図である。
【図２】本発明の一実施例の録画再生装置のリモコン装置を示す説明図である。
【図３】本発明の一実施例の録画再生装置の予約録画の設定画面の表示例を示す図である。
【図４】本発明の一実施例の録画再生装置の予約録画の設定動作を示すフローチャートである。
【符号の説明】
【０００８】
１  録画再生装置
２  光ディスク
３  光ピックアップ
４  スピンドルモータ
５  スレッドモータ
６  サーボ回路
７  ＲＦ増幅回路
８  チューナ
９  信号処理回路
１０  ＯＳＤ回路
１１  マイコン
１２  時計回路
１３  フラッシュＲＯＭ
１４  リモコン受信部
２０  リモコン装置
２０ａ  予約録画キー
２０ｂ  テンキー
２０ｃ  カーソルキー
２０ｄ  決定キー
３０  モニタ装置
３０ａ  画面
【図１】
2007180748.tif 000003
【図２】
2007180748.tif 000004
【図３】
2007180748.tif 000005
【図４】
2007180748.tif 000006